(57)【要約】  薄型で携帯しやすく、且つ文字や画像の認識精度が高い、読み取り画像と翻訳等の変換結果を瞬時にリアルタイムで比較することができる入出力一体型の画像読取装置を提供する。画像読取装置（１０１）は、原稿を読み取る画像データ読取部（２０２）と、読み取った原稿の文字や画像を認識する認識部（２０１）と、認識した文字や画像の表示情報の変換処理を行う変換部（２０１）と、その変換処理を行った文字や画像の表示情報を表示する表示部（２０４）と、を備える。画像データ読取部（２０２）及び表示部（２０４）は、それぞれシート状であり、装置全体がシート状である。
2015186312.tif 000002
【特許請求の範囲】
【請求項１】
被読取媒体上の画像を読み取る画像データ読取部と、前記画像データ読取部が読み取った画像データ及び前記画像データに変換処理を加えた表示情報の少なくとも一方を表示可能な表示部と、を備え、
前記画像データ読取部及び前記表示部は共にシート状であり、装置全体がシート状であることを特徴とする画像読取装置。
【請求項２】
シート状の前記画像データ読取部及び前記表示部は積層して配置され、
前記画像データ読取部及び前記表示部を駆動する制御部を、前記積層の方向から見て、前記積層した画像データ読取部及び表示部の側方位置に配置したことを特徴とする請求項１に記載の画像読取装置。
【請求項３】
前記画像データ読取部が読み取った画像データから前記被読取媒体上の文字情報及び画像情報の少なくとも１方からなる表示情報を抽出する認識部を有することを特徴とする請求項１又は請求項２に記載の画像読取装置。
【請求項４】
前記認識部が抽出した表示情報の変換処理を行う変換部を有することを特徴とする請求項３に記載の画像読取装置。
【請求項５】
更に、前記変換部で変換処理を行う表示情報を使用者が選択するための表示情報抽出部を備えることを特徴とする請求項４に記載の画像読取装置。
【請求項６】
前記表示部は、タッチパネルを備え、
前記表示情報抽出部は、前記タッチパネルによって、前記変換処理を行う表示情報を抽出することを特徴とする請求項５に記載の画像読取装置。
【請求項７】
前記変換処理は、翻訳変換処理、漢字から読み仮名への変換処理、及び拡大・縮小変換処理のいずれかであることを特徴とする請求項４〜請求項６のいずれか１項に記載の画像読取装置。
【請求項８】
前記画像データ読取部及び前記表示部は、透過性を有することを特徴とする請求項１〜請求項７のいずれか１項に記載の画像読取装置。
【請求項９】
前記画像データ読取部及び前記表示部は、フレキシブル性を有することを特徴とする請求項１〜請求項８のいずれか１項に記載の画像読取装置。
【請求項１０】
前記画像データ読取部は、マトリックス状に配列した複数のフォトセンサを備えたフォトセンサの構造体を備えると共に、受光素子として薄膜半導体を使用し、
前記表示部は、液晶ディスプレイ、電子ペーパー、及び有機ＥＬディスプレイのいずれかであることを特徴とする請求項１〜請求項９のいずれか１項に記載の画像読取装置。
【請求項１１】
更に、前記画像データ読取部と前記表示部の間に光源となるシート状の光源部を備え、
前記光源部は、ＬＥＤと導光板を利用したもの、有機ＥＬを利用したもの、及び無機ＥＬを利用したもの、のいずれかであることを特徴とする請求項１〜請求項１０のいずれか１項に記載の画像読取装置。
【請求項１２】
更に、通信機能、カードスロット、音声出力機能、及びメモリ機能のうち少なくとも一つを有することを特徴とする請求項１〜請求項１１のいずれか１項に記載の画像読取装置。
【発明の詳細な説明】
【技術分野】
【０００１】
本発明は、紙等などからなる被読取媒体上の文字を含む画像を読み取って、表示する画像読取装置に関する。
【背景技術】
【０００２】
画像読取装置は、文字や画像が記載された紙等の被読取媒体（以下、原稿とも呼ぶ）上の文字や画像を読み取る装置である。画像を読み取る装置には、光学文字読取装置（ＯＣＲ）で読み取った文字や画像を認識し、所定の処理を施して表示する装置もある（特許文献１、２、３参照）。
近年、画像データ上の文字認識技術が発達し、その文字認識処理と共に構文解析等の技術によって言語翻訳も可能となっている。一般に、翻訳処理は、原稿画像をイメージスキャナーで読み取り、必要に応じて、輪郭補正、コントラスト補正等の前処理を行った後、文字認識を行い、次いで構文解析、翻訳という処理手順を踏む。従って、画像の読取装置であるスキャナーやファクシミリと組み合わせた翻訳装置や、スマートフォンのカメラで画像を読み取り、読み取った画像データと該画像データからの翻訳結果とを同時にスマートフォンのディスプレイに表示する翻訳アプリ等が開発されている。そして、画像を読み取る読取装置と、読み取った画像データや翻訳結果等を表示するディスプレイとの両方を具備した入出力一体型の画像読取装置は、原稿と翻訳結果等をリアルタイムで確認できるため非常に有用である。【０００３】
また近年、高速通信ネットワークの整備により、画像データの前処理や、文字認識、構文解析・翻訳といった高度な演算処理は、ネットワーク上のクラウドコンピューティングで実現することも可能である。そして、ネットワークインターフェイスを有し且つ通信環境にある入出力一体型の画像読取装置は、自身が高度な処理や大きなメモリを有せずとも、リアルタイムで良質な翻訳サービスを提供する事ができる。
【先行技術文献】
【特許文献】
【０００４】
【特許文献１】特開２００３−８８４３号公報
【特許文献２】特許第３２３４７３６号公報
【特許文献３】特開平４−２４５７６７号公報
【発明の概要】
【発明が解決しようとする課題】
【０００５】
しかしながら、通常、ファックスやスキャナーといった読取装置には、リニア画像センサや２次元画像センサが用いられている。これらのセンサは、レンズやミラーを利用した光学系や、機械式走査を使用しているために、読取装置のサイズが大きくなり、読取装置の持ち運びに不便である。同様の理由から、装置の薄型化が難しい。このような理由から、ファックスやスキャナーといった読取装置は、曲面を読み取るには不向きであり、装置自体のフレキシブル化が困難である。【０００６】
一方、スマートフォンやタブレット端末等は、読取装置としてカメラを用いている。カメラでの撮像は、撮影時間が短く、曲面に記載された文字や画像も撮像することができる。また、端末の厚みをある程度薄くすることも可能である。しかしながら、カメラによる撮像は、ピントがずれたり振動でぶれたりすることにより画像がボケやすく、文字や画像の認識精度が落ちてしまう。またカメラは、環境照度に対する最適露光条件設定（絞り、シャッター速度）必要である。更にカメラは、室内環境で書類の画像を取り込む際、撮影装置自身の影や照明の映り込みが生じ易いといった問題もある。また、タブレット端末等は撮像している画像と、撮像した画像から読み取った文字や画像情報に所定の変換処理を施した画像（例えば翻訳結果等）とを同時にリアルタイムでディスプレイに表示して比較する場合、撮像中は端末をユーザーが手に持つなどによって端末を固定しておかなければならず、読み取る量が多い場合には不便であった。【０００７】
本発明は、かかる点に鑑みてなされたものであり、薄型で携帯しやすい入出力一体型の画像読取装置を提供することを目的とする。
【課題を解決するための手段】
【０００８】
本発明の一態様に係る画像読取装置は、被読取媒体上の画像を読み取る画像データ読取部と、前記画像データ読取部が読み取った画像データ及び前記画像データに変換処理を加えた表示情報の少なくとも一方を表示可能な表示部と、を備え、前記画像データ読取部及び前記表示部は共にシート状であり、装置全体がシート状であることを特徴とする。
【発明の効果】
【０００９】
本発明の一態様によれば、入出力一体型であっても、薄型で携帯しやすい画像読取装置を提供することができる。
【図面の簡単な説明】
【００１０】
【図１】本発明の実施形態に係る画像読取装置の概略図である。
【図２】本発明の実施形態に係るイメージセンサアレイの拡大斜視図である。
【図３】本発明の実施形態に係る画像読取装置の断面図である。
【図４】本発明の実施形態に係る画像読取装置のハードウェアブロック図である。
【図５】本発明の実施形態に係る画像読取装置の動作のフロー図である。
【図６】本発明の実施形態に係る画像読取装置の機能ブロック図である。
【発明を実施するための形態】
【００１１】
＜実施形態＞
以下に、本発明の実施形態について図面を参照して説明する。
［概略構成］
本実施形態においては、５インチサイズのタブレット形状の画像読取装置を例に説明する。
本実施形態に係る画像読取装置１０１は、図１に示すように、原稿を読み取る画像データ読取部２０２と、画像データ読取部２０２が読み取った画像データに所定の処理を施す主制御部２０１と、画像読み取りの際に使用する光源部２０３と、読み取った画像データや読み取った画像データを変換処理を行った画像データの少なくとも一方からなる表示情報（画像データ）を表示可能な表示部２０４を備える。
【００１２】
図１に示すように、本実施形態の画像読取装置１０１では、画像データ読取部２０２と、光源部２０３と、表示部２０４が、この順に重なって積層状態に配置されている。画像データ読取部２０２と表示部２０４は、光源部２０３を間に挟んで対向配置して、光源部２０３を挟持する。主制御部２０１は、上記の積層方向からみて、画像データ読取部２０２、光源部２０３、及び表示部２０４により形成された層の側方（端部）に配置されている。主制御部２０１、画像データ読取部２０２、光源部２０３、及び表示部２０４は、電気的に接続されているものとする。
光源部２０３には、両面発光可能な面光源を用いても良いし、片面毎に必要に応じて発光が切り替わる面光源を用いても良い。更に光源部２０３は、片面発光する面光源を非発光面にて会合し個別に駆動しても良い。
【００１３】
［画像データ読取部］
まず、画像データ読取部２０２について説明する。
本実施形態においては、画像データ読取部２０２はシート状である。シート状の画像データ読取部２０２としては、マトリックス状に配列した複数のフォトセンサを備えたフォトセンサの構造体を備え、フォトダイオードやＴＦＴなどの薄膜半導体を受光素子とした、アレイ状に配置したイメージセンサアレイが挙げられる。画像データ読取部２０２は、シート状の形状となっていれば良く、イメージセンサアレイに限定されない。
［シート状］
なお、本実施形態で用いる「シート状」という単語は、薄板状などの平面体のことを指し、厚みは０．１ｍｍ以上３０ｍｍ以下が好ましい。シート状は、剛直であってもフレキシブル（可撓性）であっても良い。
【００１４】
［画像の読み取り方法］
図２に、受光素子としてフォトダイオードを用いた場合のイメージセンサアレイの拡大斜視図を示した。また、図３に、画像読取装置の断面図を示した。
画像の読み取り方法の一例について説明する。
この例の画像データ読取部２０２は、図２に示したように、受光素子３０１となるフォトダイオードがマトリックス状に配置され、各フォトダイオードの一端に電極３０２がつながった構造のイメージセンサアレイとなる。各フォトダイオードがその下に位置する原稿の画像を読み取る。即ち、画像データ読取部２０２は、図３に示すように、光源部２０３から原稿１０２へ光が照射され、その反射光がフォトダイオードによって検出される。反射光の強度は、各フォトダイオードの下に位置する原稿上の画像によって異なる。
【００１５】
図３の光源部２０３からの光３０４は、その進行方向に光の反射率の低い箇所３０７が存在するため、反射光は弱くなる。また、光源部２０３からの光３０５は、その進行方向に光の反射率の高い箇所３０８が存在するため、反射光は強くなる。
反射光はフォトダイオードの受光面に入射し、フォトダイオード内で電荷を発生させる。画像データ読取部２０２は、反射光の強弱によって発生する電荷の量に差が生じることで、原稿の画像を認識できる。そして、画像データ読取部２０２は、フォトダイオードの一端に接続された電極を通してこれらの発生する電流を検出し、電気信号としてフォトダイオードアレイの下に位置する画像が認識される。
【００１６】
次に、受光素子３０１としてＴＦＴを用いた場合のイメージセンサアレイについて説明する。
受光素子としてＴＦＴを用いた場合であっても、光源部２０３から照射された光の反射光によって原稿の画像を認識する仕組みは、上記の同様である。受光素子としてＴＦＴを用いた場合は、受光素子機能と電極及び選択トランジスタ機能を兼ね備えさせることができる。
【００１７】
また、受光素子としてＴＦＴを用いた場合は、フォトセンサセル（画素）を小さくして、フォトセンサシステム自体を小型化又は、フォトセンサセルを高密度化（画素を高精細化）させることができる。ＴＦＴ自体にフォトセンサ機能を持たせるＴＦＴ構造としては、例えばトップゲートとボトムゲートの二つのゲートを備えるダブルゲート構造が挙げられる。ダブルゲート構造の場合、他のＴＦＴ構造に比べて検出感度が高いというメリットがある。半導体層にはアモルファスシリコン等を用いることができるが、本実施形態においては特に限定されない。また、ＴＦＴを形成する材料の選択により、フレキシブル性（可撓性）や透明性を持たせることもできる。
【００１８】
フレキシブル性のあるＴＦＴとしては、基材にポリメチルメタクリレート、ポリアクリレート、ポリカーボネート、ポリスチレン、ポリエチレンテレフタレート、ポリエチレンナフタレート、ガラス繊維強化アクリル樹脂フィルム、ガラス繊維強化ポリカーボネート、ポリイミド、フッ素系樹脂及び薄ガラスを用い、半導体活性層にペンタセン，アントラセン，ルブレンなどの有機材料を用いたフレキシブルＴＦＴを用いることができる。ただし、本発明はこれらに限定されるものではない。
【００１９】
また、透明性のあるＴＦＴとしては、半導体活性層に酸化亜鉛（ＺｎＯ）、酸化インジウム（Ｉｎ２Ｏ３）、酸化インジウム亜鉛（Ｉｎ−Ｚｎ−Ｏ）、酸化スズ（ＳｎＯ２）、酸化タングステン（ＷＯ）などの金属酸化物半導体材料を用い、またその配線に酸化インジウムスズ（ＩＴＯ）や酸化インジウム亜鉛（ＩＺＯ）などの透明導電材料を用いた透明薄膜トランジスタを用いること。ただし、本発明はこれらに限定されるものではない。
図３に示したように画像データ読取部２０２と原稿を密着又は近接させた状態で、画像データ読取部２０２で画像を読み取り行う。このとき、イメージセンサアレイのフォトセンサセル（画素）の解像度と同じ解像度で原稿の画像を正確に読み取ることができる。また、フレキシブル性のある画像データ読取部２０２を用いた場合には、画像読取装置１０１にフレキシブル性を持たせることによって、原稿が曲面である場合も画像読取装置１０１を曲面に沿わせることによって画像を精度良く読み取ることが可能となる。
【００２０】
［光源部］
次に、光源部２０３について説明する。
光源部２０３は、前述したように、画像データ読取部２０２が原稿の画像を読み取る際の光源となる。本実施形態においては、光源部２０３もシート状であり、光源部２０３は画像データ読取部２０２の上に配置されている。
なお、画像読取装置１０１が透過性を有する場合には、光源を外光としても良く、光源部２０３を具備しない構成としても良い。ただし光源部２０３を具備した方が光源から安定して光を照射することができるため、原稿からの反射光が安定する。その結果、画像データ読取部２０２での読み取り精度が向上するため好ましい。光源部２０３は、図１、図３に示すように、画像データ読取部２０２に隣接して配置され、画像データ読取部２０２における原稿を読み取る側とは反対方向に設置される。前述したように、光源部２０３からの光が原稿上で反射する。本実施形態の画像データ読取部２０２は、その反射光を検出し、画像を認識する。
【００２１】
光源としては、ＬＥＤ、有機ＥＬ、無機ＥＬが挙げられるが、本実施形態はこれに限定されない。また、導光板と組み合わせても良い。有機ＥＬや無機ＥＬはフレキシブル化が容易なため好ましい。また、有機ＥＬは、電極に透明電極を用いることによって透過性を持たせることも可能である。
また、光源の色は、白色を用いても良いし、赤色（Ｒ）、緑色（Ｇ）、青色（Ｂ）と３色用いても良い。ＲＧＢの３色を用いた場合はカラーでの読み取りが容易となるため好ましい。本実施形態においては画像が認識できれば、光源の色は限定されない。
【００２２】
［表示部］
次に、表示部２０４について説明する。図１、図３に示すように、表示部２０４は、画像データ読取部２０２の原稿を読み取る側とは反対方向に配置される。なお、本実施形態に係る画像読取装置１０１が光源部２０３を備える場合には、表示部２０４は光源部２０３の上に配置される。本実施形態の表示部２０４は、シート状であり、光源部２０３の上に配置されているものとする。表示部２０４は、画像データ読取部２０２で読み取った画像の画像データや、読み取った画像データに対し主制御部２０１で所定の変換処理を行った後の画像データからなる表示情報を表示する。
【００２３】
表示部２０４としては、液晶ディスプレイ、電子ペーパーディスプレイ、有機ＥＬディスプレイが挙げられるが、本実施形態はこれに限定されない。表示は白黒表示でもカラー表示でも良い。液晶ディスプレイを用いた場合は透過型液晶ディスプレイを用いることによって、画像読取装置１０１に透過性をもたせることが可能となる。電子ペーパーディスプレイを用いた場合はフレキシブル性をもたせることができ、また消費電力を低くすることができるため好ましい。有機ＥＬディスプレイを用いた場合は、透過性やフレキシブル性をもたせることが可能であるため好ましい。
表示部２０４は、タッチパネルを具備していても良い。タッチパネルには抵抗膜方式と静電容量方式等が挙げられるがいずれの方式を用いても良い。表示部２０４がタッチパネルを備えることにより、表示部２０４に表示された画像を見ながら、画像の座標位置を指定することができ、対象画像の抽出が容易になる。
【００２４】
［組み合わせ］
本実施形態においては、画像データ読取部２０２、光源部２０３、表示部２０４として考えられる構成をいくつか挙げられるが、どれを用いてもかまわない。透過性やフレキシブル性、白黒・カラー表示等、画像読取装置の仕様によって選択することが可能である。
［透過］
なお、本実施形態で用いる「透過」という単語は、それを通して原稿を見たときに、文字や画像が識別可能な程度に透過性があれば良い。透過率としては５０％以上であれば、本実施形態に係る画像読取装置１０１を通して原稿の文字や画像を識別することができる。すなわち、透過性を有する場合には、「透明」、「半透明」である場合に限らず、透過な箇所と不透過な箇所が細かく配列している場合も含まれるとする。
【００２５】
［ハードウェアブロック図］
次に、本実施形態に係る画像読取装置１０１の構成について図４を用いて説明する。図４は、実施形態に係る画像読取装置のハードウェアブロック図である。
この画像読取装置１０１は、原稿の文字や画像（以下、総称して画像という）を光学的に読み取り電気信号に変換する画像データ読取部２０２と、画像読み取りの際に用いられる光源部２０３と、画像データ読取部２０２から出力されるデジタル信号から画像データを構築し、所定の処理を行う主制御部２０１と、読み取った画像や所定の処理を施した画像等を表示する表示部２０４とを備えている。主制御部２０１は、ＣＰＵ等である。図４中、符号２１３はバスを表す。バス２１３は、各種機能部位を電気的に接続して、データ等の転送を行う。
【００２６】
また、画像読取装置１０１には、記憶装置として、ＲＯＭ２０５と、ＲＡＭ２０６とが設けられている。ＲＯＭ２０５は、不揮発性のメモリであり、プログラム等の基本的な情報が格納されている。また、ＲＡＭ２０６は、揮発性のメモリであり、主制御部２０１がプログラム及びデータを読み込んで実行するワークメモリである。実際には、ＲＡＭ２０６はフラッシュメモリでも良い。ＲＡＭ２０６には、画像格納部２０７と、認識結果／変換結果格納部２０８が設けられている。画像格納部２０７は、読み取った画像データや所定の変換処理を施した画像データ等の各種画像情報を格納する。認識結果／変換結果格納部２０８は、画像格納部２０７に格納された画像データから認識された文字情報等の情報や、所定の処理を施した変換情報を格納する。
【００２７】
また、画像読取装置１０１には、各種操作情報を入力するための操作部２１０が設けられていても良い。操作部２１０はボタンやキー等を備える。操作部２１０として、音声入力機能を有する音声入力部が設けられている場合には、音声入力により各種操作情報を入力しても良い。音声入力部はマイク等である。更に、画像読取装置１０１に、図示しないが、音声出力機能を有する音声出力部が設けられていても良い。音声出力部はスピーカ等である。例えば、音声出力部からの音声案内に従って、画像の読み取りや、操作部２１０を用いた操作・入力等を行うことが考えられる。また、読み取った画像データに含まれる文字・数字等や、表示部２０４の表示内容を、音声で読み上げることも考えられる。
【００２８】
また、画像読取装置１０１には、ネットワークと接続するためのネットワークＩ／Ｆ（インターフェース）２１１が設けられていても良い。このＩ／Ｆを介しネットワーク上のコンピュータによって画像読取、画像表示以外のデータ処理の全てもしくは一部を行なうことも可能である。
また、画像読取装置１０１には、カードスロット部２１２を設けられていても良い。カードスロット部２１２を設けることにより、カードスロット部２１２に入れたカードメモリを画像格納部２０７や認識結果／変換結果格納部２０８とすることもできる。また、カードメモリを後述する認識部２２０や変換部２２１で使用する画像データ、文字データ、及び出力データ等の各種データの格納部とすることもできる。
なお、画像読取装置１０１全体がシート状である場合には、画像読取装置１０１にケーブル等で接続可能な外付け装置が、ＲＯＭ２０５、ＲＡＭ２０６、操作部２１０、ネットワークＩ／Ｆ２１１、カードスロット部２１２、及び図示しない音声出力部を備えていても良い。この場合、画像読取装置１０１と接続されて一体的に使用される外付け装置も、画像読取装置１０１の一部とする。
【００２９】
主制御部２０１は、認識部２２０及び変換部２２１を備える。主制御部２０１は、画像データ読取部２０２及び表示部２０４を駆動する制御部２２２を備える。
認識部２２０は、画像データ読取部２０２が読み取った画像データから原稿上の文字情報及び画像情報の少なくとも１方の表示情報を抽出する処理を行う。
変換部２２１は、認識部２２０が抽出した表示情報の変換処理を行なう。
上記の操作部２１０は、変換部２２１で変換処理を行う表示情報を使用者が選択するための表示情報抽出部を構成する。
【００３０】
［機能ブロック図］
以下、画像読取装置１０１の機能について、図６を用いて説明する。図６は、上記実施形態に係る画像読取装置１０１の機能ブロック図である。まず、主制御部２０１の機能について説明する。
画像データ読取部２０２で読み取った画像の画像データは、画像格納部２０７に格納される。
主制御部２０１に設けられた認識部２２０は、画像格納部２０７に格納された画像データから文字情報及び画像情報の少なくとも１方からなる表示情報を抽出することで認識する。画像データを文字データとして認識する方法は、ＯＣＲなどで使用されている既存の方法を使用すればよいので、その説明を省略する。また、認識部２２０は、認識した結果を認識結果／変換結果格納部２０８に格納する。
【００３１】
また、主制御部２０１に設けられた変換部２２１は、読み取った画像や認識結果／変換結果格納部２０８に格納された認識結果に対する変換処理を行う。変換処理は、例えば、翻訳処理や漢字を読み仮名に変換する処理や拡大・縮小処理を例示できる。また、変換部２２１は、変換した結果を認識結果／変換結果格納部２０８に格納する。
認識部２２０や変換部２２１で使用する認識、変換するための画像データや文字データの表示情報、及び出力データ等の各種データはＲＯＭ２０５に予め格納されていても良いし、カードスロット部２１２に入れるカードメモリに格納されていても良いし、ネットワークＩ／Ｆ２１１を介してインターネット上に格納されているデータを用いても良い。
また、操作部２１０では、画像の読み取りや、所定の処理を施す等の各種操作の信号を送る。表示部２０４がタッチパネルを具備している場合には、タッチパネルを介して、各種操作の信号を送っても良い。この場合、タッチパネルが操作部２１０となる。
【００３２】
［動作フロー図］
次に、画像読取装置１０１において、画像を読み込んでから、所定の処理を施して表示部２０４に表示する動作について、図５を用いて説明する。図５は、上記実施形態に係る画像読取装置の動作フロー図である。
まず、画像読取装置１０１は、原稿を画像データ読取部２０２で読み取る（ステップＳ５０１）。そして、画像データ読取部２０２で読み取った画像データを画像格納部２０７に格納する（ステップＳ５０２）。
次に、画像読取装置１０１は、選択された範囲の画像データに選択した処理を行うステップ５０３に移行する。画像データに行う処理には、例えば文字認識の場合は、ＯＣＲの事前に行うコントラスト補正や輪郭補正などの前処理も含まれる。ここでは、処理の例として翻訳機能を実現する場合の処理について説明するが、本実施形態はこれに限定されない。
【００３３】
まず、画像読取装置１０１は、読み取った画像に対し、どの範囲でどのような処理を施すかがユーザーによって選択される（ステップＳ５０３）。次に、画像読取装置１０１は、画像格納部２０７に格納された画像の選択された範囲の画像に対して、主制御部２０１のＯＣＲ機能である認識部２２０によって文字情報を認識する（ステップＳ５０４）。次いで、認識された文字情報を認識結果／変換結果格納部２０８に格納する（ステップＳ５０５）。次に、認識された文字情報を主制御部２０１の翻訳機能を担う変換部２２１によってデータ変換する（ステップＳ５０６）。次いで、変換されたデータを認識結果／変換結果格納部２０８に格納する（ステップＳ５０７）。
【００３４】
次に、変換データを表示部２０４の所定の位置に表示する（ステップＳ５０８）。
このようにして、画像読取装置１０１において、読み取った画像に対し所定の変換処理を施し表示することができる。ユーザーは手軽に原稿をリアルタイムで自分に都合の良い形式に変換して認識することができる。
また、画像は画像格納部２０７に保存することができるため、図５の動作フローを途中から行うことによって、ユーザーはいつでも原稿画像や所定の処理を施した画像を呼び出し確認することができる。
【００３５】
［本実施形態の効果］
本実施形態によれば、以下のような効果を奏する。
本実施形態に係る画像読取装置は、原稿を読み取る画像データ読取部と、読み取った原稿の文字や画像を認識する認識部と、前記認識した文字や画像情報に所定の処理を施す変換部とが一体形成された装置である。よって、画像読み取りと同時に所定の処理を施した画像を見ることができ、例えば英語で表記された原稿を瞬時に日本語で読むことができる。
【００３６】
また、画像データ読取部にシート状の画像データ読取部を用いることにより、入出力一体型の画像読取装置（以下、端末とする）全体を薄型化することができる。また、画像データ読取部にフォトダイオード又はＴＦＴ（薄膜トランジスタ）アレイを用いることにより、一定の面積の画像を瞬時にボケなく取り込めるようにした。これにより、薄型で携帯しやすく、且つ文字や画像の認識精度が高い、読み取り画像と翻訳等の変換結果を瞬時にリアルタイムで比較することができる端末を提供することが可能となる。
ユーザーは、このような画像読取装置を用いることで、容易に文字や画像を端末に取り込むことや、端末を通して他言語表記の原稿を母国語でリアルタイムに認識することができる。
【００３７】
＜第２の実施形態＞
第２の実施形態では、画像をデジタルデータとして取得した以降の処理は必要に応じて、ネットワークｉ／ｆ２１１を介して接続する外部に接続した装置が担う。外部の装置は個別に接続された装置でも良いし、ネットワーク接続されたクラウド上の装置でも良い。この場合、読取装置が外部装置に送信するデータの形態は、デジタル化された生の画像データでも良いし、コントラストや輪郭補正といった前処理後でも良い、また前処理後更に文字等のキャラクタデータ変換されたものでも良く、必要に応じてデジタル化された画像の生データに対する以降の処理は、画像読取装置とクラウド上のコンピュータと分担することが出来る。
【００３８】
［第２の実施形態の効果］
デジタル生データ取得後の処理を、外部装置が担うことで、本体のリソースを低減し、小型ローコストできると共に、高度な演算処理をクラウド上高性能処理装置が担うことで、精度の高い、良質な結果を表示する事ができる。
以上、本願が優先権を主張する、日本国特許出願２０１４−１１７７３１（２０１４年６月６日出願）の全内容は、参照により本開示の一部をなす。
ここでは、限られた数の実施形態を参照しながら説明したが、権利範囲はそれらに限定されるものではなく、上記の開示に基づく各実施形態の改変は当業者にとって自明なことである。
【符号の説明】
【００３９】
１０１…  画像読取装置
１０２…  原稿
２０１…  主制御部
２０２…  画像データ読取部
２０３…  光源部
２０４…  表示部
２０５…  ＲＯＭ
２０６…  ＲＡＭ
２０７…  画像格納部
２０８…  認識結果／変換結果格納部
２０９…  Ａ／Ｄ変換部
２１０…  操作部
２１１…  ネットワークＩ／Ｆ
２１２…  カードスロット部
２２０…  認識部
２２１…  変換部
２２２…  制御部
【図１】
2015186312.tif 000003
【図２】
2015186312.tif 000004
【図３】
2015186312.tif 000005
【図４】
2015186312.tif 000006
【図５】
2015186312.tif 000007
【図６】
2015186312.tif 000008
【国際調査報告】
2015186312.tif 000009
2015186312.tif 000010